(57)【特許請求の範囲】
【請求項１】
エレベーターの昇降路に吊り下げられる通信用ケーブルであって、
漏洩同軸ケーブルと、
前記漏洩同軸ケーブルに支持された長尺のランプユニットと、
前記漏洩同軸ケーブルに沿うように配置され、前記漏洩同軸ケーブルを支持する長尺の支持手段と、
を備え、
前記ランプユニットは、複数の発光体を備え、
前記複数の発光体は、前記漏洩同軸ケーブルに沿うように配置され、
前記支持手段は、上端部が保持されることによって前記漏洩同軸ケーブルを吊り下げる通信用ケーブル。
【請求項２】
エレベーターの昇降路に吊り下げられる通信用ケーブルであって、
漏洩同軸ケーブルと、
前記漏洩同軸ケーブルに沿うように配置された長尺のランプユニットと、
前記漏洩同軸ケーブルに沿うように配置され、前記漏洩同軸ケーブルを支持する長尺の支持手段と、
前記漏洩同軸ケーブル、前記ランプユニット、及び前記支持手段を一体化する固定手段と、
を備え、
前記ランプユニットは、複数の発光体を備え、
前記複数の発光体は、前記漏洩同軸ケーブルに沿うように配置され、
前記支持手段は、上端部が保持されることによって前記漏洩同軸ケーブルを吊り下げる通信用ケーブル。
【請求項３】
前記ランプユニットは、前記複数の発光体の点灯及び消灯を切り替えるための切替手段を更に備えた請求項１又は請求項２に記載の通信用ケーブル。
【請求項４】
前記切替手段は、前記複数の発光体のうちの特定の２つの発光体の間に配置された請求項３に記載の通信用ケーブル。
【請求項５】
前記ランプユニットは、前記漏洩同軸ケーブルの周囲に螺旋状に巻き付けられた請求項１から請求項４の何れか一項に記載の通信用ケーブル。
【請求項６】
前記複数の発光体は、前記漏洩同軸ケーブルの周囲に点在する請求項１から請求項４の何れか一項に記載の通信用ケーブル。
【請求項７】
前記複数の発光体は、
前記漏洩同軸ケーブルに沿うように一列に配置された複数の第１発光体と、
前記漏洩同軸ケーブルに沿うように一列に配置され、前記複数の第１発光体に並列する複数の第２発光体と、
を備えた請求項１から請求項４の何れか一項に記載の通信用ケーブル。
【発明の詳細な説明】
【技術分野】
【０００１】
この発明は、通信のために用いられるケーブルに関する。
【背景技術】
【０００２】
エレベーターの据付工事では、ビルに形成された昇降路内で様々な作業が行われる。昇降路の内部には十分な明かりが確保されていないため、作業環境が悪い。このような課題は、例えば特許文献１においても指摘されている。
【先行技術文献】
【特許文献】
【０００３】
【特許文献１】日本特開平９−７７４２４号公報
【発明の概要】
【発明が解決しようとする課題】
【０００４】
また、近年では、エレベーターの据付工事においても通信デバイスが用いられる。しかし、エレベーターの昇降路の内部は、外部からの電波が届き難い。近年では、昇降路内の電波状態が不安定なことも作業環境を悪化させる要因となっている。このような問題は、エレベーターの据付工事だけでなく、同じような環境下で行われる工事においても同様に発生し得る。【０００５】
この発明は、上述のような課題を解決するためになされた。この発明の目的は、エレベーターの昇降路のような暗い場所での作業環境を改善できる通信用ケーブルを提供することである。
【課題を解決するための手段】
【０００６】
この発明に係る通信用ケーブルは、エレベーターの昇降路に吊り下げられる通信用ケーブルである。本通信用ケーブルは、漏洩同軸ケーブルと、漏洩同軸ケーブルに支持された長尺のランプユニットと、漏洩同軸ケーブルに沿うように配置され、漏洩同軸ケーブルを支持する長尺の支持手段と、を備える。ランプユニットは、複数の発光体を備える。複数の発光体は、漏洩同軸ケーブルに沿うように配置される。支持手段は、上端部が保持されることによって漏洩同軸ケーブルを吊り下げる。
【０００７】
この発明に係る通信用ケーブルは、エレベーターの昇降路に吊り下げられる通信用ケーブルである。本通信用ケーブルは、漏洩同軸ケーブルと、漏洩同軸ケーブルに沿うように配置された長尺のランプユニットと、漏洩同軸ケーブルに沿うように配置され、漏洩同軸ケーブルを支持する長尺の支持手段と、漏洩同軸ケーブル、ランプユニット、及び支持手段を一体化する固定手段と、を備える。ランプユニットは、複数の発光体を備える。複数の発光体は、漏洩同軸ケーブルに沿うように配置される。支持手段は、上端部が保持されることによって漏洩同軸ケーブルを吊り下げる。
【発明の効果】
【０００８】
この発明に係る通信用ケーブルを用いることにより、エレベーターの昇降路のような暗い場所での作業環境を改善できる。
【図面の簡単な説明】
【０００９】
【図１】実施の形態１における通信用ケーブルを用いてエレベーターの据付工事を行う例を示す図である。
【図２】通信用ケーブルの例を示す図である。
【図３】通信用ケーブルの他の例を示す図である。
【図４】通信用ケーブルの他の例を示す図である。
【図５】通信用ケーブルの他の例を示す図である。
【図６】通信用ケーブルの他の例を示す図である。
【図７】複数本の通信用ケーブルを用いてエレベーターの据付工事を行う他の例を示す図である。
【図８】複数本の通信用ケーブルを用いてエレベーターの据付工事を行う他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１における通信用ケーブル１を用いてエレベーターの据付工事を行う例を示す図である。図１に示す例では、エレベーターの昇降路２の上方に機械室３が形成される。通信用ケーブル１の一方の端部は、ルータ４に接続される。ルータ４は、機械室３に設けられる。通信用ケーブル１は、ルータ４から下方に延び、昇降路２に吊り下げられる。通信用ケーブル１は、昇降路２のピット２ａに達する。通信用ケーブル１のもう一方の端部は、ピット２ａに置かれる。
【００１２】
据付工事を担当する施工会社の監視端末５は、特定のネットワーク６を介してルータ４に接続される。ネットワーク６は、例えばＩＰネットワークである。ＩＰネットワークは、通信プロトコルとしてＩＰ（Ｉｎｔｅｒｎｅｔ  Ｐｒｏｔｏｃｏｌ）を用いた通信ネットワークである。ネットワーク６はオープンネットワークでも良いが、クローズドネットワークであることが好ましい。
【００１３】
図２は、通信用ケーブル１の例を示す図である。通信用ケーブル１は、漏洩同軸ケーブル１１、ランプユニット１２、及び結束バンド１３を備える。
【００１４】
漏洩同軸ケーブル１１は、一方の端部がルータ４に接続される。漏洩同軸ケーブル１１は、ルータ４から下方に延び、昇降路２に吊り下げられる。漏洩同軸ケーブル１１は、昇降路２のピット２ａに達する。漏洩同軸ケーブル１１のもう一方の端部に、終端抵抗器１１ａが設けられる。終端抵抗器１１ａは、ピット２ａに置かれる。漏洩同軸ケーブル１１から昇降路２に通信用の電波が放射される。
【００１５】
例えば、エレベーターの据付工事を行う作業員は、通信デバイス７を携帯して昇降路２で作業を行う。通信デバイス７と漏洩同軸ケーブル１１との間でデータの送受信が行われる。通信デバイス７から送信されたデータは、漏洩同軸ケーブル１１、ルータ４、及びネットワーク６を介して監視端末５に送信される。
【００１６】
通信デバイス７は、例えばスマートホンである。通信デバイス７は、昇降路２に設置されたカメラでも良い。通信デバイス７は、作業員が携帯するウェアラブルカメラでも良い。通信デバイス７がウェアラブルカメラである場合、通信デバイス７から漏洩同軸ケーブル１１に画像データが送信される。監視端末５に、ウェアラブルカメラによって撮影された画像が表示される。
【００１７】
ランプユニット１２は、漏洩同軸ケーブル１１に支持される。ランプユニット１２は、複数の発光体を備えた長尺の部材である。ランプユニット１２は、漏洩同軸ケーブル１１に沿うように配置される。図２は、ランプユニット１２が結束バンド１３によって漏洩同軸ケーブル１１に固定され、漏洩同軸ケーブル１１とランプユニット１２とが一体化される例を示す。結束バンド１３は、ランプユニット１２を漏洩同軸ケーブル１１に固定し、漏洩同軸ケーブル１１とランプユニット１２とを一体化する手段の一例である。
【００１８】
一例として、ランプユニット１２は、テープ基板１４、及び複数の白色ＬＥＤ１５を備える。ランプユニット１２は、スイッチ１６を備えても良い。白色ＬＥＤ１５は、上記発光体の一例である。例えば、白色ＬＥＤ１５は、漏洩同軸ケーブル１１に沿うように配置される。白色ＬＥＤ１５は、特定の範囲に固まらず、漏洩同軸ケーブル１１の全体に亘って配置されることが好ましい。図２に示す例では、白色ＬＥＤ１５は、テープ基板１４上に一定の間隔で設けられる。図１に示す状態では、白色ＬＥＤ１５は、昇降路２の上下に渡って一直線状に並ぶ。
【００１９】
白色ＬＥＤ１５を点灯させるための電力は、例えばルータ４から供給される。テープ基板１４に電源プラグを接続しておき、白色ＬＥＤ１５を点灯させるための電力を商用電源から得ても良い。通信用ケーブル１をドラムに巻き取って運搬する場合は、そのドラムに、電源プラグを差し込むためのコンセントが備えられても良い。
【００２０】
スイッチ１６は、白色ＬＥＤ１５の点灯及び消灯を切り替える手段の一例である。例えば、白色ＬＥＤ１５が消灯している状態でスイッチ１６が押されると、白色ＬＥＤ１５は点灯する。同様に、白色ＬＥＤ１５が点灯している状態でスイッチ１６が押されると、白色ＬＥＤ１５は消灯する。
【００２１】
図２は、スイッチ１６がテープ基板１４の端部に設けられる例を示す。図２に示す例では、スイッチ１６は機械室３に配置される。据付工事を行う作業員は、昇降路２での作業を開始する際に機械室３でスイッチ１６を操作し、白色ＬＥＤ１５を点灯させる。
【００２２】
他の例として、作業員が昇降路２でスイッチ１６を操作できるように、スイッチ１６をテープ基板１４の中間部分に設けても良い。例えば、スイッチ１６は、テープ基板１４に設けられた複数の発光体のうちの特定の２つの発光体の間に配置される。図２に示す例では、複数の白色ＬＥＤ１５に白色ＬＥＤ１５ｍ及び白色ＬＥＤ１５ｎが含まれる。白色ＬＥＤ１５ｍと白色ＬＥＤ１５ｎとは互いに隣接する。スイッチ１６は、白色ＬＥＤ１５ｍと白色ＬＥＤ１５ｎとの間に配置されても良い。
【００２３】
通信用ケーブル１を用いることにより、昇降路２のような暗い場所での作業環境を改善できる。即ち、通信用ケーブル１には漏洩同軸ケーブル１１が含まれる。漏洩同軸ケーブル１１から昇降路２に通信用の電波が放射される。このため、昇降路２において、通信デバイス７から監視端末５に対してデータを送信することができる。必要に応じて、監視端末５から昇降路２内の通信デバイス７に対してデータを送信することも可能である。
【００２４】
更に、通信用ケーブル１にはランプユニット１２が含まれる。ランプユニット１２から放射される照明用の光によって昇降路２の内部を照らすことができる。通信用ケーブル１を昇降路２の上下に渡って配置すれば、ランプユニット１２によって昇降路２の全体を明るくすることができる。
【００２５】
以下に、通信用ケーブル１が採用可能な他の機能について説明する。通信用ケーブル１は、以下に示す複数の機能を組み合わせて採用しても良い。
【００２６】
図３は、通信用ケーブル１の他の例を示す図である。図３に示す例では、スイッチ１６の図示を省略している。なお、後述する図４から図６に示す例でも同様に、スイッチ１６の図示を省略している。図３に示す例では、ランプユニット１２は、漏洩同軸ケーブル１１の周囲に螺旋状に巻き付けられる。ランプユニット１２は、漏洩同軸ケーブル１１の周囲に螺旋状に巻き付けられた状態で結束バンド１３によって漏洩同軸ケーブル１１に固定される。
【００２７】
図２に示す例では、ランプユニット１２に備えられた複数の白色ＬＥＤ１５が上下に一直線状に配置される。このため、機械室３から吊り下げられた通信用ケーブル１を上方から見ると、どの白色ＬＥＤ１５からも同じ方向に光が放射される。昇降路２の全体を白色ＬＥＤ１５で照らすためには、白色ＬＥＤ１５の向きも考慮して通信用ケーブル１を設置しなければならない。
【００２８】
一方、図３に示す例では、白色ＬＥＤ１５は、漏洩同軸ケーブル１１に沿うように配置され、漏洩同軸ケーブル１１の周囲に点在する。機械室３から吊り下げられた通信用ケーブル１を上方から見ると、白色ＬＥＤ１５からの光は、漏洩同軸ケーブル１１を中心に放射状に広がる。図３に示す例であれば、通信用ケーブル１を機械室３から吊り下げるだけで、白色ＬＥＤ１５からの光によって昇降路２の全体を照らすことができる。このため、通信用ケーブル１を設置する手間と時間とを低減できる。
【００２９】
図４は、通信用ケーブル１の他の例を示す図である。図４に示す例では、通信用ケーブル１は、漏洩同軸ケーブル１１、複数組のランプユニット１２、及び結束バンド１３を備える。図４は、最も簡単な例として、通信用ケーブル１が２組のランプユニット１２を備える例を示す。
【００３０】
以下の説明では、一方のランプユニットに対しては符号の後にＡを付し、もう一方のランプユニットに対しては符号の後にＢを付してそれぞれを区別する。即ち、図４に示す例では、通信用ケーブル１は、ランプユニット１２Ａとランプユニット１２Ｂとを備える。ランプユニット１２Ａは、テープ基板１４Ａ、及び複数の白色ＬＥＤ１５Ａを備える。ランプユニット１２Ａは、スイッチ１６Ａを備えても良い。ランプユニット１２Ｂは、テープ基板１４Ｂ、及び複数の白色ＬＥＤ１５Ｂを備える。ランプユニット１２Ｂは、スイッチ１６Ｂを備えても良い。
【００３１】
ランプユニット１２Ａに備えられた白色ＬＥＤ１５Ａは、漏洩同軸ケーブル１１に沿うように一列に配置される。通信用ケーブル１が機械室３から吊り下げられた状態では、白色ＬＥＤ１５Ａは、昇降路２の上下に渡って一直線状に並ぶ。同様に、ランプユニット１２Ｂに備えられた白色ＬＥＤ１５Ｂは、漏洩同軸ケーブル１１に沿うように一列に配置される。通信用ケーブル１が機械室３から吊り下げられた状態では、白色ＬＥＤ１５Ｂは、昇降路２の上下に渡って一直線状に並ぶ。
【００３２】
図４に示すように、白色ＬＥＤ１５Ａと白色ＬＥＤ１５Ｂとは並列する。機械室３から吊り下げられた通信用ケーブル１を上方から見ると、白色ＬＥＤ１５Ｂは、白色ＬＥＤ１５Ａが向く方向とは反対の方向を向くように配置される。このため、図４に示す例であれば、通信用ケーブル１を機械室３から吊り下げるだけで、白色ＬＥＤ１５Ａからの光及び白色ＬＥＤ１５Ｂからの光によって昇降路２の全体を照らすことができる。図４に示す例であっても、通信用ケーブル１を設置する手間と時間とを低減できる。
【００３３】
図５は、通信用ケーブル１の他の例を示す図である。図５に示す例では、通信用ケーブル１は、ランプユニット１２を漏洩同軸ケーブル１１に固定し、漏洩同軸ケーブル１１とランプユニット１２とを一体化する手段として熱収縮チューブ１７を備える。ランプユニット１２及び漏洩同軸ケーブル１１は、熱収縮チューブ１７を貫通する。熱収縮チューブ１７がランプユニット１２と漏洩同軸ケーブル１１との周囲に密着することにより、ランプユニット１２が漏洩同軸ケーブル１１に固定される。
【００３４】
白色ＬＥＤ１５は、熱収縮チューブ１７によって覆われないことが好ましい。但し、熱収縮チューブ１７が透明であれば、白色ＬＥＤ１５は熱収縮チューブ１７によって覆われても良い。なお、図５に示す例において、ランプユニット１２は、漏洩同軸ケーブル１１の周囲に螺旋状に巻き付けられても良い。図５に示す例において、通信用ケーブル１は、複数組のランプユニット１２を備えても良い。
【００３５】
図６は、通信用ケーブル１の他の例を示す図である。図２に示す通信用ケーブル１は、例えば漏洩同軸ケーブル１１の上端部が保持されることによって昇降路２に吊り下げられる。このため、高層ビル等の昇降路２で通信用ケーブル１が用いられると、漏洩同軸ケーブル１１に過度な負荷が掛かってしまう。
【００３６】
図６に示す例では、通信用ケーブル１は、漏洩同軸ケーブル１１、ランプユニット１２、及び結束バンド１３に加え、ワイヤ１８を更に備える。ワイヤ１８は、漏洩同軸ケーブル１１を支持する支持部材の一例である。支持部材は、例えば糸状或いは紐状の長尺の部材であり、漏洩同軸ケーブル１１に沿うように配置される。
【００３７】
図６は、漏洩同軸ケーブル１１とランプユニット１２とワイヤ１８とが結束バンド１３で束ねられることによって一体化された例を示す。図６に示す例では、ワイヤ１８の上端部が保持されることによって、通信用ケーブル１が昇降路２に吊り下げられる。図６に示す例であれば、漏洩同軸ケーブル１１に過度な負荷が掛かることを防止できる。例えば、漏洩同軸ケーブル１１の被覆が損傷してしまうことを防止できる。
【００３８】
なお、図６に示す例において、ランプユニット１２は、漏洩同軸ケーブル１１の周囲に螺旋状に巻き付けられても良い。図６に示す例において、通信用ケーブル１は、複数組のランプユニット１２を備えても良い。また、結束バンド１３の代わりに熱収縮チューブ１７が用いられても良い。
【００３９】
本実施の形態では、通信用ケーブル１をエレベーターの据付工事で用いる例について説明した。これは一例である。通信用ケーブル１は、エレベーターの改修工事で用いられても良い。また、暗い場所での作業環境を改善するために、エレベーター以外の工事において通信用ケーブル１が用いられても良い。この時、通信用ケーブル１は横向きに設置されても良い。
【００４０】
通信用ケーブル１をエレベーターの据付工事で用いる場合、作業者は、据付工事が終了すると、通信用ケーブル１を撤去する。漏洩同軸ケーブル１１とランプユニット１２とは結束バンド１３等の固定手段によって一体化されているため、通信用ケーブル１を撤去する際に通信用ケーブル１をドラムに巻き取ることも可能である。したがって、通信用ケーブル１の運搬及び保管を容易に行うことができる。
【００４１】
据付工事が終了した後に通信用ケーブル１をエレベーターの保守で使用しても良い。かかる場合、作業者は、据付工事が終了した後に通信用ケーブル１を撤去しなくても良い。据付工事後も通信用ケーブル１を昇降路２に残しておく場合、エレベーターで通常サービスが行われる間は、白色ＬＥＤ１５を消灯させておくことが好ましい。ランプユニット１２がスイッチ１６を備えていれば、白色ＬＥＤ１５の点灯及び消灯を容易に行うことができる。
【００４２】
本実施の形態では、結束バンド１３等の固定手段によって漏洩同軸ケーブル１１とランプユニット１２とが一体化される例について説明した。ランプユニット１２は、漏洩同軸ケーブル１１に接着固定されることによって漏洩同軸ケーブル１１と一体化されても良い。ランプユニット１２は、他の方法によって漏洩同軸ケーブル１１と一体化されても良い。
【００４３】
本実施の形態では、１本の通信用ケーブル１を昇降路２の上下に渡って配置する例について説明した。高層ビル等でエレベーターの据付工事を行う場合は、複数本の通信用ケーブル１を繋ぎ合わせて必要な長さを確保しても良い。かかる場合、通信用ケーブル１同士は、コネクタ接続されることが好ましい。
【００４４】
図７は、複数本の通信用ケーブル１を用いてエレベーターの据付工事を行う他の例を示す図である。図７に示す例では、ルータ４は、昇降路２の中間部に設けられる。ルータ４に、２本の通信用ケーブル１が接続される。図７に関する以下の説明では、一方の通信用ケーブルに対しては符号の後にＣを付し、もう一方の通信用ケーブルに対しては符号の後にＤを付してそれぞれを区別する。例えば、通信用ケーブル１Ｃは、漏洩同軸ケーブル１１Ｃ、ランプユニット１２Ｃ、及び結束バンド１３Ｃを備える。通信用ケーブル１Ｄは、漏洩同軸ケーブル１１Ｄ、ランプユニット１２Ｄ、及び結束バンド１３Ｄを備える。なお、通信用ケーブル１として、図２から図６に示す何れの例が採用されても良い。
【００４５】
通信用ケーブル１Ｃの一方の端部は、ルータ４に接続される。通信用ケーブル１Ｃは、ルータ４から下方に延び、昇降路２に吊り下げられる。通信用ケーブル１Ｃは、昇降路２のピット２ａに達する。通信用ケーブル１のもう一方の端部は、ピット２ａに置かれる。漏洩同軸ケーブル１１Ｃの端部に、終端抵抗器１１ａＣが設けられる。
【００４６】
通信用ケーブル１Ｄの一方の端部は、ルータ４に接続される。通信用ケーブル１Ｄは、ルータ４から上方に延びる。通信用ケーブル１Ｄは、昇降路２の頂部に達する。図７に示すように、通信用ケーブル１Ｄは、機械室３に達しても良い。通信用ケーブル１Ｄは、昇降路２の頂部或いは機械室３から吊り下げられる。漏洩同軸ケーブル１１Ｄの端部に、終端抵抗器１１ａＤが設けられる。
【００４７】
図７に示す例であれば、ルータ４から通信用ケーブル１の先端までの距離を短くすることができる。このため、通信用ケーブル１の先端部分で電波強度が低下してしまうことを抑制できる。図７に示す例は、高層ビル等でエレベーターの据付工事を行う場合に特に有効である。
【００４８】
図８は、複数本の通信用ケーブル１を用いてエレベーターの据付工事を行う他の例を示す図である。図８に示す例では、３本の通信用ケーブル１が昇降路２に配置される。図８に関する以下の説明では、１つの通信用ケーブルに対しては符号の後にＥを付し、他の１つの通信用ケーブルに対しては符号の後にＦを付し、残りの通信用ケーブルに対しては符号の後にＧを付してそれぞれを区別する。例えば、通信用ケーブル１Ｅは、漏洩同軸ケーブル１１Ｅ、ランプユニット１２Ｅ、及び結束バンド１３Ｅを備える。通信用ケーブル１Ｆは、漏洩同軸ケーブル１１Ｆ、ランプユニット１２Ｆ、及び結束バンド１３Ｆを備える。通信用ケーブル１Ｇは、漏洩同軸ケーブル１１Ｇ、ランプユニット１２Ｇ、及び結束バンド１３Ｇを備える。なお、通信用ケーブル１として、図２から図６に示す何れの例が採用されても良い。
【００４９】
図８に示す例では、ルータ４は、機械室３に設けられる。通信用ケーブル１Ｅの一方の端部は、ルータ４に接続される。通信用ケーブル１Ｅは、ルータ４から下方に延び、昇降路２に吊り下げられる。通信用ケーブル１Ｅのもう一方の端部は、例えば、ピット２ａの底面から高さＨ１の位置に配置される。通信用ケーブル１Ｅはピット２ａに達しない。漏洩同軸ケーブル１１Ｅの端部に、終端抵抗器１１ａＥが設けられる。
【００５０】
通信用ケーブル１Ｆは、アプローチケーブル１９を介してルータ４に接続される。アプローチケーブル１９から電波は漏洩しない。アプローチケーブル１９の一方の端部は、ルータ４に接続される。アプローチケーブル１９は、ルータ４から下方に延び、昇降路２に吊り下げられる。アプローチケーブル１９のもう一方の端部は、例えば、ピット２ａの底面から高さＨ１の位置に配置される。
【００５１】
通信用ケーブル１Ｆの一方の端部は、アプローチケーブル１９の上記もう一方の端部に接続される。通信用ケーブル１Ｆは、アプローチケーブル１９から下方に延び、昇降路２に吊り下げられる。通信用ケーブル１Ｆのもう一方の端部は、例えば、ピット２ａの底面から高さＨ２の位置に配置される。通信用ケーブル１Ｆはピット２ａに達しない。漏洩同軸ケーブル１１Ｆの端部に、終端抵抗器１１ａＦが設けられる。
【００５２】
通信用ケーブル１Ｇは、アプローチケーブル２０を介してルータ４に接続される。アプローチケーブル２０から電波は漏洩しない。アプローチケーブル２０の一方の端部は、ルータ４に接続される。アプローチケーブル２０は、ルータ４から下方に延び、昇降路２に吊り下げられる。アプローチケーブル２０のもう一方の端部は、例えば、ピット２ａの底面から高さＨ２の位置に配置される。
【００５３】
通信用ケーブル１Ｇの一方の端部は、アプローチケーブル２０の上記もう一方の端部に接続される。通信用ケーブル１Ｇは、アプローチケーブル２０から下方に延び、昇降路２に吊り下げられる。通信用ケーブル１Ｇは、昇降路２のピット２ａに達する。通信用ケーブル１Ｇのもう一方の端部は、ピット２ａに置かれる。漏洩同軸ケーブル１１Ｇの端部に、終端抵抗器１１ａＧが設けられる。
【００５４】
図８に示す例であっても、図７に示す例と同様に、各通信用ケーブル１の長さを短くすることができる。このため、通信用ケーブル１の先端部分で電波強度が低下してしまうことを抑制できる。図８に示す例は、高層ビル等でエレベーターの据付工事を行う場合に特に有効である。
【産業上の利用可能性】
【００５５】
この発明に係る通信用ケーブルを用いることにより、エレベーターの昇降路のような暗い場所での作業環境を改善できる。
【符号の説明】
【００５６】
１  通信用ケーブル、  ２  昇降路、  ２ａ  ピット、  ３  機械室、  ４  ルータ、  ５  監視端末、  ６  ネットワーク、  ７  通信デバイス、  １１  漏洩同軸ケーブル、  １１ａ  終端抵抗器、  １２  ランプユニット、  １３  結束バンド、  １４  テープ基板、  １５  白色ＬＥＤ、  １６  スイッチ、  １７  熱収縮チューブ、  １８  ワイヤ、  １９  アプローチケーブル、  ２０  アプローチケーブル
【要約】
通信用ケーブル（１）は、漏洩同軸ケーブル（１１）、及び長尺のランプユニット（１２）を備える。ランプユニット（１２）は、漏洩同軸ケーブル（１１）に支持される。ランプユニット（１２）は、複数の白色ＬＥＤ（１５）を備える。複数の白色ＬＥＤ（１５）は、漏洩同軸ケーブル（１１）に沿うように配置される。通信用ケーブル（１）を用いることにより、エレベーターの昇降路（２）のような暗い場所での作業環境を改善できる。【図１】
0006930672.tif 000002
【図２】
0006930672.tif 000003
【図３】
0006930672.tif 000004
【図４】
0006930672.tif 000005
【図５】
0006930672.tif 000006
【図６】
0006930672.tif 000007
【図７】
0006930672.tif 000008
【図８】
0006930672.tif 000009